(57)【要約】【課題】手頃な費用で、監視カメラによる遠隔監視と、監視カメラ及び監視現場内の電気設備装置の遠隔制御と、ＰＯＳレジスタによる商品ごとの売上げ監視が行える、遠隔監視システムを提供すること。【解決手段】監視カメラ１及び監視現場にある電気設備装置３を接続した監視現場のパソコン２と、管理者のパソコン１１等の通信端末機器１０とが、インターネット又はイントラネット回線で接続され、パソコン１１内の記憶部に、監視カメラ１による撮影映像を自動入力させるプログラムソフトウエア、監視カメラ１及び電気設備装置３の遠隔操作を行うプログラムソフトウエア、ＰＯＳレジスタによる商品ごとの売上げ明細をパソコン１１に送信するソフトウエア等を格納して構成した。【選択図】図１
0003165509.tif 000002
【実用新案登録請求の範囲】
【請求項１】
監視カメラ及び監視現場にある電気設備装置を接続した監視現場のパソコンと、管理者のパソコン等の通信端末機器とが、インターネット又はイントラネット回線で接続され、
前記管理者のパソコン又はサーバ内の記憶部に、前記監視カメラによる撮影映像を自動入力させる記録用プログラムソフトウエアと、前記監視カメラによる撮影映像を前記通信端末機器のディスプレイに表示する表示用プログラムソフトウエアと、該ディスプレイに画面上のスイッチ類を表示させて該スイッチ類の１つを前記通信端末器に接続したマウス又はキーの操作により前記監視カメラ及び前記電気設備装置の遠隔操作を行う遠隔制御用プログラムソフトウエアと、が格納されていることを特徴とする遠隔監視システム。
【請求項２】
前記管理者のパソコン又はサーバ内の記憶部に、前記ディスプレイに表示した前記監視カメラによる撮影映像の所定ポイントを前記マウス又はキーの操作により信号入力させて、前記監視カメラ及び／又は前記電気設備装置の遠隔操作を行う第２制御用プログラムが格納されている、請求項１に記載の遠隔監視システム。
【請求項３】
前記電気設備装置には、駐車場の操作盤が含まれている請求項１又は２に記載の遠隔制御システム。
【請求項４】
前記電気設備装置には、建物又は施設の扉、ゲート、窓などの電気錠が含まれている請求項１乃至３のいずれかの項に記載の遠隔制御システム。
【請求項５】
前記電気設備装置には、ＰＯＳレジスタが含まれ、
前記管理者のパソコン又はサーバ内の記憶部に、前記監視カメラで撮影した前記ＰＯＳレジスタ周辺部の撮影映像とともに、該ＰＯＳレジスタの操作による商品ごとの売上げ明細を前記ディスプレイに表示させ、かつこれらを前記記憶部に読出し可能に一時記憶させるＰＯＳレジスタ監視用プログラムソフトウエアが格納されている、請求項１乃至４のいずれかの項に記載の遠隔監視システム。
【考案の詳細な説明】
【技術分野】
【０００１】  本考案は、監視カメラによる遠隔監視と、監視現場内の電気設備装置の遠隔制御と、該電気設備装置がＰＯＳレジスタである場合には該ＰＯＳレジスタによる商品ごとの売上げ監視が行える、遠隔監視システムに関する。
【背景技術】
【０００２】  監視カメラとパソコンを用いて、監視ポイントの様子を管理者のからディスプレイを通じて知る監視システムは、従来から、ビルや店舖内の防犯管理、一般家屋の防犯管理に用いられている。
監視カメラとパソコンとを組み合わせると、複数台の監視カメラで撮影した映像の切り替えが出来、複数の監視カメラで撮影した映像を１台のディスプレイに分割表示することが出来、更に、監視カメラで撮影した映像データを圧縮して記憶媒体に格納して大容量保存出来るなどの利点がある。
また、最近では、特開２００２−１３３５５９号公報に記載の管理対象施設の遠隔管理方法、特開２０００−１０５８９６号公報に記載の自動車の駐車場総合サービスを行う方法、及び装置に見られるように、監視カメラとパソコンとを通信ネットワークを利用して遠隔管理する技術が公知である。
【先行技術文献】
【特許文献】
【０００３】
【特許文献１】特開２００２−１３３５５９号公報
【特許文献２】特開２０００−１０５８９６号公報
【考案の概要】
【考案が解決しようとする課題】
【０００４】  しかしながら、特開２００２−１３３５５９号公報に記載の遠隔管理方法は、監視担当者と管理対象施設関係者とが、自己の容貌を含む映像を相手方の映像表示器に表示しつつ通話器で互いに会話を行って、管理対象施設の管理を行うシステムであるために、無人の管理対象施設には対応出来ないという不具合がある。
特開２０００−１０５８９６号公報に記載の自動車の駐車場の総合サービスを行う装置は、故障を遠隔操作で修復する機能を持たないために、故障現場に直行することが必要になり、このため、故障の修復に迅速な対応が出来ず、しかも、故障現場に直行する人の要員確保による人件費が監視コストを押し上げるという不具合がある。
また、従来のＰＯＳレジスタ周辺の監視は、監視カメラによる撮影のみであるため、店舗従業員の不正行為によるＰＯＳレジスタに売上げ記録しないレジパスをチェックすることができなかった。【０００５】  本考案の遠隔監視システムは、手頃な費用で、監視カメラによる遠隔監視と、監視カメラ及び監視現場内の電気設備装置の遠隔制御とが行え、また、該電気設備装置がＰＯＳレジスタである場合には該ＰＯＳレジスタによる商品ごとの売上げ監視が行える、遠隔監視システムを提供することを解決課題とする。
【課題を解決するための手段】
【０００６】  請求項１に係る遠隔監視システムは、
監視カメラ及び監視現場にある電気設備装置を接続した監視現場のパソコンと、管理者のパソコン等の通信端末機器とが、インターネット又はイントラネット回線で接続され、
前記管理者のパソコン又はサーバ内の記憶部に、前記監視カメラによる撮影映像を自動入力させる記録用プログラムソフトウエアと、前記監視カメラによる撮影映像を前記通信端末機器のディスプレイに表示する表示用プログラムソフトウエアと、該ディスプレイに画面上のスイッチ類を表示させて該スイッチ類の１つを前記通信端末器に接続したマウス又はキーの操作により前記監視カメラ及び前記電気設備装置の遠隔操作を行う遠隔制御用プログラムソフトウエアと、が格納されているところに特徴がある。【０００７】  この遠隔監視システムによれば、監視カメラで撮影した監視現場の撮影映像が、インターネット又はイントラネット回線を通じて前記通信端末機器に送信され、該通信端末機器のディスプレイにリアルタイムで表示される。また、この撮影映像は該通信端末機器の記憶部に撮影時刻とともに読出し可能に一時記憶される。
この通信端末機器のディスプレイには、監視現場の撮影映像とともに、前記監視カメラの遠隔操作を行う前記複数のボタンが表示される。
この通信端末機器が管理者のパソコンである場合には、前記監視カメラの制御は、このパソコンのディスプレイに表示されている前記複数のボタンの１つをマウスポイントし、クリックする方法で行う。
この通信端末機器が携帯電話器、ＰＤＡ等の移動式通信端末機器である場合、前記監視カメラの制御は、この移動式通信端末機器のキー操作等で行う。この制御は、監視カメラのＯＮ／ＯＦＦ操作、ズームアップまたはダウン、方向制御などである。
前記複数のボタンは、前記監視カメラを制御するものと、前記電気設備装置を制御するものとがあり、電気設備装置を制御するボタン操作も監視カメラ用のボタン操作と同様の方法で行う。
監視カメラは１台に限らず、最大１６台まで接続可能である。１６台の監視カメラを用いた場合には、管理者の通信端末機器のディスプレイに、各監視カメラによる撮影映像が１６分割画面で表示される。各監視カメラによる撮影映像は、８分割、４分割、２分割の画面、１画面などに切り替え可能であり、分割数が少なくなるに従って、ディスプレイに表示される撮影映像は大きくなる。この切り替えは、通信端末機器側のマウス操作、キー操作等で行う。【０００８】  請求項２に係る遠隔監視システムは、さらに、前記管理者のパソコン又はサーバ内の記憶部に、前記ディスプレイに表示した前記監視カメラによる撮影映像の所定ポイントを前記マウス又はキーの操作により信号入力させて、前記監視カメラ及び／又は前記電気設備装置の遠隔操作を行う第２制御用プログラムが格納されている。【０００９】  請求項３に係る遠隔監視システムは、上記いずれかの構成に加えて、前記電気設備装置には、駐車場の操作盤が含まれている。【００１０】  請求項４に係る遠隔監視システムは、上記いずれかの構成に加え、前記電気設備装置には、建物又は施設の扉、ゲート、窓などの電気錠が含まれている。
この遠隔監視システムによれば、前記電気錠の開錠と施錠の遠隔操作は、前記ディスプレイを見ながら前記通信端末機器のマウス操作及びキー操作により画面上のボタン操作により信号入力させて行う。
また、電気錠を制御する複数のボタンの１つをマウスポイントしてクリックし、次にディスプレイに表示されている扉映像の電気錠近くの位置をマウスポイントしてクリックして、電気錠の施錠と開錠が行えるようにしてもよい。
電気錠が設備されている現場で該電気錠の開錠及び施錠が行われたときには、この開錠及び施錠の電気信号が前記管理者のパソコン又はサーバ内の記憶部に読出し可能に格納される。【００１１】  請求項５に係る遠隔監視システムは、上記いずれかの構成に加え、
前記電気設備装置には、ＰＯＳレジスタが含まれ、
前記管理者のパソコン又はサーバ内の記憶部に、前記監視カメラで撮影した前記ＰＯＳレジスタ周辺部の撮影映像とともに、該ＰＯＳレジスタの操作による商品ごとの売上げ明細を前記ディスプレイに表示させ、かつこれらを前記記憶部に読出し可能に一時記憶させるＰＯＳレジスタ監視用プログラムソフトウエアが格納されている。
この遠隔監視システムによれば、前記通信端末機器のディスプレイに、ＰＯＳレジスタの操作映像と、ＰＯＳレジスタによる商品ごとの売上げ明細を同時に表示する。
【考案の効果】
【００１２】  本考案に係る遠隔監視システムによれば、監視カメラによる撮影映像がリアルタイムで、管理者の通信端末機器のディスプレイに表示することができまた、この撮影映像を時間記録とともに読出し可能に通信端末機器の記憶部に一時記憶することができるため、監視現場の防犯等に役立つ。
また、監視カメラと電気設備装置の遠隔制御を可能とした結果、電気設備装置の操作及び動作チェック、電気設備装置を操作する利用者に対する操作説明などが、管理者が監視現場に出向かなくても行える。【００１３】  前記電気設備装置が建物又は施設の扉、ゲート、窓などの電気錠である場合には、この電気錠の開錠及び施錠が、管理者が前記ディスプレイに表示された監視カメラによる撮影映像を見ながら遠隔操作できるため、管理者の時間と経費の負担が軽減され、利用者に対しては即座に対応できる。【００１４】  また、前記電気設備装置がＰＯＳレジスタである場合、監視カメラを用いた防犯管理だけでなく、店舗従業員の不正行為によるＰＯＳレジスタに売上げ記録しないレジパスをチェックすることができる。
【図面の簡単な説明】
【００１５】
【図１】本考案に係る実施形態の遠隔監視システムの概略図。
【図２】管理者のパソコンのディスプレイに監視映像をマルチビューで表示した図。
【図３】管理者のパソコンのディスプレイに監視映像をシングルビューで表示した図。
【図４】立体駐車場の操作盤を示した図。
【図５】ディスプレイに監視カメラで撮影した立体駐車場の操作盤の映像表示した図。
【図６】ディスプレイに監視カメラで撮影した建物・施設の扉の映像を表示した図。
【図７】ディスプレイに監視カメラで撮影したＰＯＳレジスタ周辺を映像表示した図。
【考案を実施するための形態】
【００１６】  本考案を実施するための形態を次の実施例において説明する。
【実施例】
【００１７】  図１に示す施実形態の遠隔監視システムは、監視カメラ１・・・と、監視現場のパソコン２・・と、監視現場に設置した電気設備装置３・・と、通信端末機器１０とを備える。監視カメラ１・・・は複数台が設置され、各監視カメラ１・・・と監視現場のパソコン２・・とが信号線で接続されている。
この実施形態の遠隔監視システムでは、電気設備装置３・・は、駐車場の制御盤４、建物・施設の扉の電気錠５、ＰＯＳレジスタ６で構成される。
監視現場のパソコン２・・と管理者の通信端末機器１０とは、インターネット接続されている。監視現場のパソコン２・・は通信用及び監視カメラ・・・及び制御盤４、電気錠６等は双方向制御用に供せられるため、ディスプレイ及びキーボードは接続しなくてもよい。【００１８】  通信端末機器１０は、パソコン１１、携帯電話器１５、ＰＤＡ１６等で構成されている。
管理者のデスクトップ型パソコン１１には、ディスプレイ１２と、キーボード１３と、マウス１４が接続されている。管理者の各パソコン１１，１１内の記憶部には、監視カメラ１・・・による撮影映像を自動入力させる記録用プログラムソフトウエアと、監視カメラ１・・・による撮影映像を管理者側のディスプレイ１２，１２に表示する表示用プログラムソフトウエアと、ディスプレイ１２，１２に複数の画面上のボタンを表示させて該ボタンの１つを前記通信端末器に接続したマウス又はキーの操作により監視カメラ１・・・及び電気設備装置３・・・の遠隔操作を行う遠隔制御用プログラムソフトウエア等が格納されている。監視用のソフトウエアには監視カメラ制御用のソフトウエアが含まれる。【００１９】  本実施形態の遠隔監視システムを設置した際には、最初にインターネットにより、本システムのＷｅｂサイトを開き、暗証番号を入力する。暗証番号が登録した暗証番号と一致すると、監視現場域に設置したパソコン２・・と、管理者のパソコン１１，１１、ＰＤＡ１６、携帯電話器１５などの通信端末機器１０とが、インターネット接続されて、相互通信可能な状態になる。【００２０】  この後、管理者の通信端末機器１０を利用して、監視カメラ１・・・の初期設定を行う。この初期設定は、監視現場に接続したパソコン２・・ですることも可能である。この遠隔監視システムを駆動させると、最大１６台の監視カメラ１・・・による撮影映像をリアルタイムで管理者のパソコン１１，１１のディスプレイ１２，１２に表示させることができる。【００２１】  図２はディスプレイ１２の画面２０に１６分割のマルチビュー画面で映し出した状態を示している。必要に応じて、４分割表示、２分割表示、大きな１画面表示に切替えることも可能である。
画面２０の撮影映像表示欄２１には、監視カメラで撮影した映像をリアルタイムで映し出され、この映像はパソコンの記憶部に読出し可能に一時記憶される。
撮影映像表示欄２１の右には操作欄２２が画像表示されている。操作欄２２には、監視カメラの制御を行なうボタン、１画面表示とマルチビュー画面の選択をするボタン、過去の撮影映像の日時を指定して読出す操作を行うボタン、シングルビューで表示した撮影映像の一部をズームアップさせるボタン等が画像として配置されている。
撮影映像表示欄２１の下には映像を見易い画面に調整する画面上の複数のボタン２３ａ・・・を設けた画面調整欄２３などが位置している。
これらのボタンは、マウスポインタを合わせてクリックすると信号入力する。
分割画面の１つのにマウスポインタを合わせてクリックしても、１画面であるシングルビューに切り替えることができる。また図３に示すように画面の一部をシングルビューにすることもできる。【００２２】  図３に示すディスプレイ１２の画面２０には、監視カメラによる立体駐車場の入口周辺と電気設備装置３・・の１つである立体駐車場の操作盤の撮影映像が、シングルビューで映し出されている。
画面２０の撮影映像表示欄２１に映像として表示されている操作盤の画像３０Ａは、パソコンのキーボードやマウスの操作によりズームアップできる。画面２０には、画面調整欄２３と、現在どの監視カメラのものが映像表示されているかを示すカメラ名表示欄２４とが設けられている。【００２３】  図４は立体駐車場電気設備装置の一般的によく知られる操作盤を示している。操作盤３０の前面パネル３１には、「操作可」、「運転中」、「入出庫可」の各ランプ３２，３３，３４と、７セグメント３桁の表示部３５と、パレット番号を指定するテンキー３６と、「運転」、「復帰」、「非常停止」の各ボタンスイッチ３７，３８，３９が表示されている。例えば、立体駐車場装置において不具合が生じたり、立体駐車場の操作盤の誤操作等が原因で、立体駐車場の駆動が停止した場合には、表示部３５にその内容が数値、例えば、「９９９」で表示される。【００２４】  立体駐車場の駆動に不具合が発生した場合には、図５に示すように管理者のパソコンのディスプレイ１２に操作盤の映像をズームアップ表示させる。そして、画面上の操作盤３０Ａの表示部３５Ａに表示されている数字を見て駐車場装置の不具合を確認し、これを修復させる操作では、操作盤の映像３０Ａにある各テンキーの映像３６Ａをマウスポイントしてクリックし、或いは管理者のパソコン等のテンキーを入力して、実際の操作盤にその操作信号を送信する。【００２５】  本実施形態の遠隔監視システムは、扉の電気錠の施錠と開錠を遠隔操作で行なえる。図６は監視カメラで撮影した建物・施設の扉をディスプレイ上に表示した図である。
実物の扉には電気錠が設備されており、本実施形態の遠隔監視システムは、この扉に監視カメラが向けられている。そして管理者のパソコン等のディスプレイにこの扉を映し出して監視することができる。また、管理者のパソコン等の操作によりこの電気錠の施錠と開錠が遠隔操作できる。
例えば、開錠の操作は、画面上に表示されているボタン２６・・・の開錠ボタンをマウスポイントし、次に画面２０に映し出されている扉の映像４０ａの電気錠辺りをマウスポイントしてクリックする方法で行う。【００２６】  また、本実施形態の遠隔監視システムは、監視カメラを用いたスーパーマーケットのＰＯＳレジスタ周辺の監視と、レジパスといわれているＰＯＳレジスタによる売上げを入力しない不正の発見が行える。このため、スーパーマーケットのＰＯＳレジスタとその周辺を撮影する位置に監視カメラが取付けられている。監視カメラによる撮影映像が、図７に示すように管理者のパソコンのディスプレイ１２に、ＰＯＳレジスタとその周辺を映し出すことができるようにしてある。
ＰＯＳレジスタを用いた商品の売上げ入力には、キー操作で行なう方法と、スキャナー等の読取り器で商品に付されているバーコード及び非接触式ＩＤチップを読取って行う方法とがある。
本実施形態の遠隔監視システムでは、ＰＯＳレジスタに商品ごとの売上げ明細が順に入力された場合には、瞬時にこの売上げ明細のデータ５０が管理者のパソコンのディスプレイ１２に表示される。商品ごとの売上げ明細が順に入力されると、ディスプレイ１２に点灯表示させたり、管理者のパソコンから信号音を出力させるようにしてもよい。
【産業上の利用可能性】
【００２７】  本考案の遠隔監視システムは、監視カメラを用いた監視現場の遠隔監視のみならず、監視カメラの遠隔制御したり、監視カメラで映し出した扉の電気錠を遠隔操作で施開錠させたり、スーパーマーケットのレジ現場における不正をチェックする機能がある。このため、これらの分野における利用が期待される。
【符号の説明】
【００２８】  １    監視カメラ
２    監視現場のパソコン
３    電気設備装置
４  （電気設備装置の１つである）駐車場の制御盤
５  （電気設備装置の１つである）建物・施設の扉の電気錠
６  （電気設備装置の１つである）ＰＯＳレジスタ
１０    管理者の通信端末機器
１１  （管理者の）パソコン
２０    画面
２１    撮影映像表示欄
２２    操作欄
２３    画面調整欄
２３ａ  ボタン
２４    カメラ名表示欄
３０    （立体駐車場の）操作盤
３０Ａ  （立体駐車場の）操作盤の映像
３１    前面パネル
３２    「操作可」のランプ
３３    「運転中」のランプ
３４    「入出庫可」のランプ
３５    表示部
３６    テンキー
３７    「運転」ボタン
３８    「復帰」ボタン
３９    「非常停止」ボタン
４０Ａ  扉の映像
６Ａ    電気錠
４２    施錠のボタン
４３    開錠のボタン
５０    ＰＯＳレジスタの映像
５１    売上げ明細
【図１】
0003165509.tif 000003
【図２】
0003165509.tif 000004
【図３】
0003165509.tif 000005
【図４】
0003165509.tif 000006
【図５】
0003165509.tif 000007
【図６】
0003165509.tif 000008
【図７】
0003165509.tif 000009